(57)【要約】【課題】女性用生理タンポンにおいて、使用済みの汚れたそれを、手を汚さずに簡単に包み込みが可能なシートと組み合わせた、シートつきタンポンの改良技術を提供しようとするものである。【解決手段】生理用タンポンを包み込み可能な幅、長さを持った、柔軟で弾性のあるビニール様素材をシート本体（１）として形成し、このシート本体（１）内に生理用タンポン（３）が巻かれた状態で、シート端部に、その巻かれる内側面においては幅分の粘着部（４）を、外側面においては、シートの円形両側面を含めて全周を被覆可能な裏返しポケット部（２）を形成したことを特徴とする、エチケットシートつき生理用タンポン。【選択図】  図  １
2006061661.tif 000002
【特許請求の範囲】
【請求項１】
生理用タンポンを包み込み可能な幅、長さを持った、柔軟で弾性のあるビニール様素材をシート本体として形成し、このシート本体内に生理用タンポンが巻かれた状態で、シート端部に、その巻かれる内側面においては幅分の粘着部を、外側面においては、シートの円形両側面を含めて全周を被覆可能な裏返しポケット部を形成したことを特徴とする、エチケットシートつき生理用タンポン。
【発明の詳細な説明】
【技術分野】
【０００１】  本発明は、使用済みの生理用タンポンを、外部に露出することなく、また、手を汚さずに簡単に、手軽に包んで捨てることが可能な、シートつき生理用タンポンに関するものである。
【背景技術】
【０００２】従来、生理用タンポンには、その形態上、大きく分けて３種類の種別が知られている。
・アプリケータータイプ
タンポン（吸収体）本体が筒状（アプリケーター）に入っており、その筒の中をすべり出す、さらに小さな筒（内筒）を押し出すことで、タンポン本体を挿入するのが特徴で、吸収体本体に手を触れなくて済む利点がある。
・フィンガータイプ
タンポン本体の周囲に、縦に複数本の線状溝を形成するなどして、挿入しやすく、より小型で使いやすいコンパクト設計にしたもの。
・スティックタイプ
アプリケータータイプにおける内筒の代わりに、棒状（スティック）を吸収体から延設し、吸収体本体挿入後、スティックのみ引き抜くタイプ。
また、これらの生理用タンポンに、使用中の外漏れを防止するため、あるいはまた、使用後、汚物として捨てる際にも、衛生的に包んで捨てることが可能な包装体、シート、あるいは生理用ナプキンを組み合わせ、または一体化した先行技術が知られている。【０００３】
【特許文献１】実開昭６２−１１６７２３号公報
【特許文献２】実開昭６３−４３５２３号公報
【特許文献３】実開平７−３４８１５号公報
【特許文献４】登録実用新案第３０６１７８６号公報
【特許文献５】特開２００４−９７２５１号公報
【０００４】  例えば、上記特許文献１（考案の名称：タンポン包装体）においては、紙製の袋状に形成された収納容器に生理用タンポンが収納され、該容器の外側に、内径が該容器よりも大きな合成樹脂製の処理袋を巻き付け形成し、粘着テープで止着した技術が開示されている。
また、特許文献２（考案の名称：衛生包装材付生理用タンポン）では、生理用タンポンの取り出し用紐の一部を、生理用タンポンを包装及び廃棄するための包装材で構成した生理用タンポンの技術が開示されている。
あるいは、特許文献３（考案の名称：タンポン付き生理用ナプキン）にあっては、アプリケータータイプの生理用タンポンを、別に形成したシート状ナプキンと、生理用タンポンの紐にて接続し、内筒にあたる筒内に挿入してなるタンポン付き生理用ナプキンの技術が示されている。
さらに、特許文献４（考案の名称：ナプキン付き生理用タンポン）には、特許文献３と比較し、生理用タンポンの引き紐の先端を掛け輪部とすることや、生理用タンポンをナプキンシートにより巻き込んで収納するといった点において、あるいは形式上、生理用タンポンがついたナプキンか、ナプキンがついた生理用タンポンかの相違はあるものの、やはり同様の技術が開示されている。
加えて特許文献５（発明の名称：生理用タンポン）では、生理用タンポンの個別の包装袋を、三角形や台形などとし、使用前の状態にあって小型化して封入し、使用後の廃棄時に袋の開口を大きく取ることが可能な袋を有する生理用タンポンの技術が示されている。
【発明の開示】
【発明が解決しようとする課題】
【０００５】  しかしながら上記特許文献１にあっては、あらかじめ包装される袋状の収納容器は、使用後それのみを別に廃棄する必要が生じ、その分余計なごみが発生する。
また、上記特許文献２においては、使用後の生理用タンポンの包装前に、包装体そのものに経血による汚れが生じるおそれがあり、
さらに、上記特許文献３または同４のように、タンポンとナプキンを接続する方式は、通常、挿入のためのみに使用する内筒を使用後の廃棄時までとっておく必要が生じたり、使用後巻き込む際にナプキン側にすでについた経血によって、巻く手の指を汚してしまうおそれがあり、必ずしも利便性の向上や衛生面での向上につながらない。
さらに特許文献５の技術を採用した場合、通常の個包装にかかる費用よりも、包装資材のコストがかさむため、実施時において販売価格をあげざるを得ないと言った課題を残す。
あるいは一般的にも、個包装された生理用タンポンの使用後の廃棄に際しては、それを他人に隠しつつ捨てるときはビニール様の袋などを持ち歩くしかなく、また、トイレの汚物入れなどに捨てる場合も、トイレットペーパーなどでくるんで捨てても、時間の経過とともに経血が表面ににじんできてしまい、次の利用者に不快な印象を与える。
そこで本発明は、以上の問題点を解決し、製造時のコストアップにもつながらず、かつ、衛生的に使用済み生理用タンポンの廃棄ができるシートつき生理用タンポンを提供するためになされたものである。
【課題を解決するための手段】
【０００６】  そこで本発明においては、
生理用タンポンを包み込み可能な幅、長さを持った、柔軟で弾性のあるビニール様素材をシート本体として形成し、このシート本体内に生理用タンポンが巻かれた状態で、シート端部に、その巻かれる内側面においては幅分の粘着部を、外側面においては、シートの円形両側面を含めて全周を被覆可能な裏返しポケット部を形成した生理用タンポンの構成をもって、上記課題を解決することを特徴とする。
【発明の効果】
【０００７】  本発明におけるシート本体は、当初の包装体も兼ねるため、包装体を別に用意する必要がなく、外出時において包装体を忘れる心配がない。
さらに、使用後全体をしっかり巻き込み包んだあとで、裏返しポケット部において二重にしっかりと包装を固定するため、外観上も時間経過による不快感をも与えることがない。
【発明を実施するための最良の形態】
【０００８】  以下、本発明の実施の形態について説明する。
（イ）図２は、本発明のシート本体（１）と、その内に巻かれる生理用タンポン（３）を展開した状態で示した一実施例の図であるが、
シート本体（１）は、ビニール様素材をもって形成し、防水・防臭加工が施され、かつ、不透明な材質であることが望ましい。
なお、本発明においては、通常市販の、あるいは先行記述の兼用包装体と区物するため、本発明のシート本体（１）をして発明の名称において「エチケットシート」と称することとする。
（ロ）生理用タンポンが巻かれる終端となる該シート本体（１）の端部には、その内側面に幅分の長さにわたって粘着部（４）を一部に設ける。
これは、一度巻かれた生理用タンポンが、固化した経血やその重みなどから生じるたるみにより、再び巻きがほつれて戻ることがないように巻きの終端において止める役目を果たすものである。
（ハ）図４は、本発明のシート本体（１）を展開した状態を裏側（外側）から示した図であるが、前記（ロ）におけるシート本体（１）の端部で、その外側面にあたる部分から、反対側の短辺端部へと向かう方向へ、かつそちら側を開口として、シートの円形両側面を含めて全周を被覆可能な裏返しポケット部（２）を形成する。
ここにおいてシートの円形両側面とは、シートを巻き込んでいく過程で側面となる、巻かれて円形を呈する面のことを言う。
本発明にあっては、使用後の巻き込み時、いったん全体を巻いて止めたうえで、さらにこの両側面を各々内側へ巻き込んだ状態において、後記裏返しポケット部（２）で覆い包み込むことで、より外漏れなどのない、衛生的な廃棄を可能とするものである。
この裏返しポケット部（２）は、一度巻かれ、前記粘着部（４）によって止められた使用済み生理用タンポンが、なおも巻きがほつれて戻り、展開して中身の見えてしまうことのないように、巻いたシート本体（１）をさらに覆い包むものであり、袋状の開口から裏返して包むことを可能とするものである。
この裏返しポケット部（２）は、図１ないし図４に示すように、本発明のシート本体（１）の短辺側の幅よりもやや幅を狭くして形成することが望ましいが、必ずしもこれにとらわれることなく、巻き込み時の側面を含めた全周を被覆可能な大きさであれば、その大小を問わない。
（ニ）なお、図３のシート本体（１）が巻かれた状態を示す図、あるいは図４にあっては、さらなる固定方法として、粘着テープ（５）を設けているが、この粘着テープは、製造コスト等を勘案し、必ずしもなくてはならない構成ではない。
したがって、本発明を使用するにあたっては、
まず個別にシート本体（１）に巻かれた生理用タンポン（３）を、シート本体（１）を展開して取り出して使い、使用後、シート本体（１）に再び巻いて、粘着部（４）において巻き止め、さらに裏返しポケット部（２）を反転、裏返して、全体をしっかり覆い包んだ上で、所定の汚物入れ等に廃棄する。
【図面の簡単な説明】
【０００９】
【図１】  本発明の一実施例であり、シート本体の展開途中を後方から見た斜視図
【図２】  本発明の一実施例における展開状態を示す斜視図
【図３】  本発明の一実施例における使用前の状態を示す斜視図
【図４】  本発明の一実施例における、シート本体を裏側（外側）から見た図
【符号の説明】
【００１０】  １    シート本体
２    裏返しポケット部
３    生理用タンポン
４    粘着部
５    粘着テープ
【図１】
2006061661.tif 000003
【図２】
2006061661.tif 000004
【図３】
2006061661.tif 000005
【図４】
2006061661.tif 000006